(57)【要約】【課題】旧来の下駄に比べて、より健康に資する下駄を提供する。【解決手段】左右それぞれの足を載せる一対の台部１０と、台部それぞれにおいて前部に貫設された一つの前孔１１及び前孔より後方に貫設された二つの後ろ孔１２に取り付けられている鼻緒２０とを具備する下駄１の構成を、それぞれの台部が上面から上方に向かって突出している複数の突起部１５を有しており、その突起部の台部における配置が、一対の台部間で左右非対称である構成とする。【選択図】図１
0003208765.tif 000002
【実用新案登録請求の範囲】
【請求項１】
左右それぞれの足を載せる一対の台部と、該台部それぞれにおいて前部に貫設された一つの前孔及び該前孔より後方に貫設された二つの後ろ孔に取り付けられている鼻緒とを具備する下駄であって、
それぞれの前記台部は、上面から上方に向かって突出している複数の突起部を有しており、
該突起部の前記台部における配置は、一対の前記台部間で左右非対称である
ことを特徴とする下駄。
【請求項２】
前記前孔は、前記台部の左右方向における中心線より内側に設けられている
ことを特徴とする請求項１に記載の下駄。
【請求項３】
前記突起部として、高さの異なる複数種類を有している
ことを特徴とする請求項１または請求項２に記載の下駄。
【請求項４】
前記鼻緒は、逆Ｖ字形に曲げられた屈曲部から前記前孔に挿入されている二本の紐状部材を有しており、
該紐状部材のうちの少なくとも一本は、前記前孔を通過しない大きさのストッパ部材を前記台部の裏側で挿通している
ことを特徴とする請求項１乃至請求項３の何れか一つに記載の下駄。
【考案の詳細な説明】
【技術分野】
【０００１】
本考案は、下駄に関するものである。
【背景技術】
【０００２】
下駄は、和装の際の履物としてだけではなく、普段用の履物として使用している人もいる。特に、素足で下駄を履くと、足指が自由に動くため、自ずと足全体の機能を使って歩行することになり土踏まずが良好に形成される、靴とは異なり足指が圧迫されないため外反母趾にならない、歩行に伴い足裏が硬い木製の台に繰り返し触れることにより血行が促進される、外気に開放されているため湿気がこもることなく皮膚病にかかりにくい等、健康にも良いと言われている。
【０００３】
本考案は、上述のように多くの利点を有すると言われている下駄を、更に健康に資するものとすることを目的として、なされたものである。
【考案の概要】
【考案が解決しようとする課題】
【０００４】
上記のように、本考案は、旧来の下駄に比べて、より健康に資する下駄の提供を課題とする。
【課題を解決するための手段】
【０００５】
上記課題を解決するため、本考案にかかる下駄は、
「左右それぞれの足を載せる一対の台部と、該台部それぞれにおいて前部に貫設された一つの前孔及び該前孔より後方に貫設された二つの後ろ孔に取り付けられている鼻緒とを具備する下駄であって、
それぞれの前記台部は、上面から上方に向かって突出している複数の突起部を有しており、
該突起部の前記台部における配置は、一対の前記台部間で左右非対称である」ものである。
【０００６】
本考案の下駄は、左右それぞれの台部に、上方に向かって突出している複数の突起部を有している。そのため、下駄を履いた時に使用者の体重がかかることにより、突起部で足裏に物理的な刺激を与え、血行を促進することができる。この突起部は、足裏における経穴（ツボ）や反射区に対応する位置に設けることができる。経穴や反射区は、そこを刺激することで内臓に働きかけることができると言われており、鍼灸治療や手揉み治療によって健康管理や健康増進が図られている部位である。台部において足裏における経穴や反射区に対応する位置に突起部を設けることにより、意識して足裏を押圧したり鍼灸治療や手揉み療治を受けたりしなくても、下駄を履いているだけで経穴や反射区を刺激して健康管理や健康増進を図ることができる。
【０００７】
ここで、足裏の反射区は、左右の足で同じではない。例えば、心臓の反射区は左足にしかなく、肝臓の反射区は右足にしかないと言われている。また、両方の足裏に存在する器官の反射区であっても、右足と右足とでは位置や広さが異なっているとされている。本考案では、台部における突起部の配置を、左足用の台部と右足用の台部とで左右非対称としているため、左右の足で非対称である反射区の位置に合わせた配置とすることができる。従って、突起部によって、足裏の反射区をより効果的に刺激することができる。
【０００８】
本考案にかかる下駄は、上記構成に加え、
「前記前孔は、前記台部の左右方向における中心線より内側に設けられている」ものとすることができる。
【０００９】
旧来の下駄は、鼻緒を取り付ける前孔が、台部の左右方向における中心線上にあり、左足用と右足用の区別がない。これに対し、上述したように本考案では、突起部の配置を左右非対称としているため、左足用と右足用とを区別する必要がある。本構成では、前孔が台部の左右方向における中心線上になく、中心線より内側に設けられているため、鼻緒の取り付け位置によって一見して容易に、左足用と右足用とを区別することができる。
【００１０】
本考案にかかる下駄は、上記構成に加え、
「前記突起部として、高さの異なる複数種類を有している」ものとすることができる。
【００１１】
足裏は、第一指や第五指の付け根など膨らみの大きい部位もあれば、土踏まずなど凹んでいる部位もある。突起部の高さが同じであると、足裏において膨らみの大きい部位に対応する位置に設けられた突起部から受ける刺激が強過ぎ、足裏において凹んでいる部位に対応する位置に設けられた突起部から受ける刺激が弱過ぎるおそれがある。これに対し、本構成では、突起部として高さの異なる複数種類を有しているため、台部と足裏との当接の程度に突起部の高さを合わせることができ、突起部から足裏が受ける刺激を程よいものとすることができる。また、経穴や反射区には、強く刺激することが望ましい部位と、あまり強く刺激しないことが望ましい部位とがあると言われているが、本構成では、そのような経穴や反射区に合わせて、対応する突起部の高さを設定することができる。
【００１２】
本考案にかかる下駄は、上記構成に加え、
「前記鼻緒は、逆Ｖ字形に曲げられた屈曲部から前記前孔に挿入されている二本の紐状部材を有しており、
該紐状部材のうちの少なくとも一本は、前記前孔を通過しない大きさのストッパ部材を前記台部の裏側で挿通している」ものとすることができる。
【００１３】
本構成では、台部の裏側においてストッパ部材より外側で二本の紐状部材を結び合わせることにより、前孔を介して鼻緒を台部に取り付けることができ、ストッパ部材を挿通している紐状部材に対するストッパ部材の位置によって、鼻緒による足先の締め付け具合を調整することができる。旧来の下駄は、鼻緒の締め付け具合を使用者が自身で調整することは難しいものであったのに対し、本構成では、自身の足に合わせて、使用者が容易に鼻緒の締め付け具合を調整することができる。また、鼻緒を通す第一指と第二指との間にも経穴や反射区があると言われているため、鼻緒による締め付け具合で、この部分の経穴や反射区を刺激する強さを調整することができる。
【考案の効果】
【００１４】
以上のように、本考案によれば、旧来の下駄に比べて、より健康に資する下駄を、提供することができる。
【図面の簡単な説明】
【００１５】
【図１】本考案の一実施形態である下駄の斜視図である。
【図２】図１の下駄の台部における突起部、前孔、及び、後ろ孔の配置を示す平面図である。
【図３】（ａ）図１の下駄における左足用下駄の左側面図であり、（ｂ）図１の下駄における右足用下駄の右側面図である。
【図４】図１の下駄の正面図である。
【図５】図１の下駄における右足用下駄を裏側から見た斜視図である。
【考案を実施するための形態】
【００１６】
以下、本考案の一実施形態である下駄１について、図１乃至図５を用いて説明する。一足の下駄１は、左足用下駄１Ｌと右足用下駄１Ｒとからなる。なお、本書面における左右、上下、前後は、それぞれ下駄１を履いた使用者にとっての左右、上下、前後である。
【００１７】
左足用下駄１Ｌ及び右足用下駄１Ｒはそれぞれ、足を載せる台部１０と、台部１０に貫設された一つの前孔１１及び二つの後ろ孔１２に取り付けられている鼻緒２０と、台部１０の裏面から突設された二つの歯部３０とを具備している。そして、それぞれの台部１０は、上面から上方に向かって突出している複数の突起部１５を有している。
【００１８】
具体的に説明すると、台部１０は木製で、前後に長い長方形の角部を湾曲させた形状である。前孔１１は、台部１０の前部において左右方向における中心線Ｍより内側に設けられている。二つの後ろ孔１２は、台部１０の後部における左右両外側に、中心線Ｍに対して対称に設けられている。二つの歯部３０は、前孔１１と後ろ孔１２との間に一つが設けられていると共に、後ろ孔１２より後方に一つが設けられている。
【００１９】
突起部１５は、本実施形態では台部１０と同様に木製である。それぞれの突起部１５は、台部１０の上面から上方に突出した短い円柱状で、直径は７ｍｍ〜１５ｍｍであり、上端は半球状に丸みを帯びている。図２に示すように、突起部１５は台部１０の上面に均一に分散させてあるのではなく、局部的に配置されている。これは、台部１０における突起部１５の配置を、足裏における経穴や反射区の位置に対応させているためである。
【００２０】
足裏における反射区の位置は、左右の足で対称ではないため、左足用下駄１Ｌの台部１０における突起部１５の配置と、右足用下駄１Ｒの台部１０における突起部１５の配置は、左右非対称である。
【００２１】
また、突起部１５には、高さが異なる二種類があり、高い突起部１５は主に土踏まずに対応する位置に配置されている。なお、図２では、高い突起部１５と低い突起部１５とを区別するために、高い突起部１５を濃いハッチングで、低い突起部１５を薄いハッチングで示している。
【００２２】
鼻緒２０は、布製の帯体であり、両端部それぞれが後ろ孔１２に挿通された上で、台部１０の裏側で留め付けられている。鼻緒２０は、長さ方向のほぼ中央で掛け回された前緒２１を介して、前孔１１に取り付けられていることにより逆Ｖ字形を呈しており、屈曲部において前緒２１からは二本の紐状部材２２が延びている。
【００２３】
二本の紐状部材２２は、共に前孔１１を挿通しており、その内の一本の紐状部材２２は、前孔１１を通過しない太さ及び長さに設定された、柱状のストッパ部材２３を台部１０の裏側で挿通している。二本の紐状部材２２は、台部１０の裏側においてストッパ部材２３より外側で、結び合わされている。
【００２４】
上記構成により、本実施形態の下駄１によれば、台部１０の上面から上方に向かって突出している複数の突起部１５を有しているため、履くだけで足裏に物理的な刺激を与え、血行を促進することができる。特に、本実施形態では突起部１５が木製であるため、足裏に強めの刺激を与えることができる。
【００２５】
また、土踏まずは足裏において凹んでおり台部１０の上面から離れる部分であるが、土踏まずに対応する部分の突起部１５は、その他の部位の突起部１５より高く設定されているため、土踏まずの近傍も突起部１５によって十分に刺激することができる。
【００２６】
そして、突起部１５は、足裏における経穴（ツボ）や反射区に対応する位置に設けられているため、意識して足裏を押圧したり鍼灸治療や手揉み療治を受けたりしなくても、下駄１を履いているだけで、経穴や反射区を刺激して健康管理や健康増進を図ることができる。
【００２７】
更に、足裏の反射区は左右の足で同じではないところ、反射区の位置に対応させることにより、左足用下駄１Ｌと右足用下駄１Ｒとで突起部１５を左右非対称に配置しているため、より効果的に反射区を刺激することができる。加えて、旧来の下駄とは異なり、左足用下駄１Ｌと右足用下駄１Ｒとを区別する必要があるところ、前孔１１を介した鼻緒２０の台部１０への取り付け位置が、左右方向における中心線Ｍより内側であるため、一見して容易に左足用下駄１Ｌと右足用下駄１Ｒとを区別することができる。
【００２８】
また、ストッパ部材２３を挿通している紐状部材２２に対してストッパ部材２３をスライドさせてから、二本の紐状部材２２を結び合わせることによって、使用者が自身で容易に鼻緒２０の締め付け具合を調整することができる。
【００２９】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００３０】
例えば、上記では、前緒２１から延びている二本の紐状部材２２のうち一本がストッパ部材２３を挿通している場合を例示したが、二本の紐状部材２２の双方が一つのストッパ部材２３を別の孔または同一の孔を介して挿通している構成とすることもできる。この場合も同様に、ストッパ部材２３を紐状部材２２に対してスライドさせることにより、鼻緒２０による足先の締め付け具合を調整することができる。
【００３１】
また、上記では、突起部１５の高さが二種類である場合を例示したが、これに限定されず、高さが異なるより多くの種類の突起部１５を備える構成とすることができる。
【００３２】
更に、上記では、突起部１５が木製である場合を例示したが、樹脂製の突起部１５とすることにより、感触がソフトな突起部１５とすることができる。
【００３３】
また、足のサイズが異なると、足裏における経穴間の距離や反射区の広さが相違するため、足のサイズに台部１０のサイズを対応させた上で、台部１０における突起１５の配置を、サイズの異なる足における経穴間の距離や反射区の広さに対応させた複数種類の下駄を製造することができる。
【符号の説明】
【００３４】
１  下駄
１Ｌ  左足用下駄
１Ｒ  右足用下駄
１０  台部
１１  前孔
１２  後ろ孔
１５  突起部
２０  鼻緒
２１  前緒
２２  紐状部材
２３  ストッパ部材
３０  歯部
Ｍ  台部の左右方向における中心線
【図１】
0003208765.tif 000003
【図２】
0003208765.tif 000004
【図３】
0003208765.tif 000005
【図４】
0003208765.tif 000006
【図５】
0003208765.tif 000007